(57)【要約】【課題】変電所監視制御システムの状態に関する情報を情報処理装置に保存する際に、変電所の現地オペレータにかかる負担を軽減する情報処理装置を提供する。【解決手段】実施形態の情報処理装置は、変電所に設けられた変電所監視制御システム内のサーバと通信可能な情報処理装置であって、第１記憶部と、通信部と、第２記憶部と、を備える。第１記憶部は、変電所監視制御システムの現在の状態に関する第１情報を情報処理装置に対して送信する処理をサーバに実行させるコマンドを記憶する。通信部は、第１情報の取得を指示する情報が入力された場合に、第１記憶部に記憶されたコマンドをサーバに対して送信し、サーバから送信された第１情報を受信する。第２記憶部は、通信部により受信した第１情報を記憶する。【選択図】図１
2016116291.tif 000002
【特許請求の範囲】
【請求項１】
変電所に設けられた変電所監視制御システム内のサーバと通信可能な情報処理装置であって、
前記変電所監視制御システムの現在の状態に関する第１情報を前記情報処理装置に対して送信する処理を前記サーバに実行させるコマンドを記憶する第１記憶部と、
前記第１情報の取得を指示する情報が入力された場合に、前記第１記憶部に記憶された前記コマンドを前記サーバに対して送信し、前記サーバから送信された前記第１情報を受信する通信部と、
前記通信部により受信した前記第１情報を記憶する第２記憶部と、
を備えた情報処理装置。
【請求項２】
前記通信部は、前記変電所監視制御システムの過去の状態に関する第２情報を前記情報処理装置に対して送信する処理を前記サーバに実行させる前記コマンドを前記サーバに対して送信し、前記第２情報を受信し、
前記第２記憶部は、前記通信部により受信した前記第２情報を記憶する請求項１に記載の情報処理装置。
【請求項３】
前記通信部は、前記第１情報の取得の終了を指示する情報が入力されるまで、前記第１情報の送信を継続させる前記コマンドを送信する請求項１または２に記載の情報処理装置。
【請求項４】
前記通信部は、さらに、前記第２記憶部に記憶された前記第１情報を、外部ネットワークを介して接続された外部装置に送信する請求項１から３のいずれか一に記載の情報処理装置。
【請求項５】
前記通信部により受信した前記第１情報を表示する表示部を備えた請求項１から４のいずれか一に記載の情報処理装置。
【請求項６】
前記情報処理装置は、前記サーバに実装される請求項１から５のいずれか一に記載の情報処理装置。
【発明の詳細な説明】
【技術分野】
【０００１】
本発明の実施形態は、情報処理装置に関する。
【背景技術】
【０００２】
電力系統において、変電所は、電力の供給や品質や効率的な運用に重要な役割を担っている。ディジタル技術の発展に伴い、変電所の監視，制御を実施する変電所監視制御システムもディジタル化が進み、当該変電所監視制御システムを構成する装置もネットワークで接続される構成が一般的になってきている。
【０００３】
このような変電所監視制御システム内において故障等の異常が発生した場合、現地オペレータが異常を確認し、その確認結果をメーカーに問い合わせる。その際、変電所監視制御サーバの状態を診断するために、変電所監視制御システム内のサーバから、変電所監視制御システムの現在の状態に関する情報である内部詳細情報や当該変電所監視制御システムの過去の状態に関する情報であるログデータなどを取得する作業が必要となるが、その作業の手順が複雑であるため、メーカーのエンジニアが現地で対応している。
【先行技術文献】
【特許文献】
【０００４】
【特許文献１】特開２００４−２７４９３１号公報
【発明の概要】
【発明が解決しようとする課題】
【０００５】
しかしながら、上記の変電所監視制御システムでは、内部詳細情報やログデータ等を取得するためには、メーカーのエンジニアが複雑な作業（例えば、変電所監視制御システム内のサーバが有するコンソールでの作業等）が必要であり、変電所監視制御システムのメーカーのエンジニアによる対応に時間がかかる。
【課題を解決するための手段】
【０００６】
実施形態の情報処理装置は、変電所に設けられた変電所監視制御システム内のサーバと通信可能な情報処理装置であって、第１記憶部と、通信部と、第２記憶部と、を備える。第１記憶部は、変電所監視制御システムの現在の状態に関する第１情報を情報処理装置に対して送信する処理をサーバに実行させるコマンドを記憶する。通信部は、第１情報の取得を指示する情報が入力された場合に、第１記憶部に記憶されたコマンドをサーバに対して送信し、サーバから送信された第１情報を受信する。第２記憶部は、通信部により受信した第１情報を記憶する。
【図面の簡単な説明】
【０００７】
【図１】図１は、第１の実施形態にかかる診断装置の使用形態の一例を説明するための図である。
【図２】図２は、第１の実施形態にかかる変電所監視制御システムの全体構成の一例を示す図である。
【図３】図３は、第１の実施形態にかかる変電所監視制御システムにおける異常に対応する処理の流れを示すシーケンス図である。
【図４】図４は、第１の実施形態にかかる変電所監視制御システムにおける診断装置に対する診断情報を送信処理の一例を説明するための図である。
【図５】図５は、第１の実施形態にかかる診断装置の概略構成の一例を示す図である。
【図６】図６は、第１の実施形態にかかる変電所監視制御サーバおよび診断装置のハードウェア構成の一例を示す図である。
【図７】図７は、第１の実施形態にかかる変電所監視制御システムにおける診断装置への診断情報の送信処理の流れを示すシーケンス図である。
【図８】図８は、第２の実施形態にかかる変電所監視制御システムにおける診断装置への調査データの送信処理の流れを示すシーケンス図である。
【図９】図９は、第３の実施形態にかかる変電所監視制御システムにおける診断装置への内部詳細情報の送信処理の流れを示すシーケンス図である。
【図１０】図１０は、第４の実施形態にかかる診断装置によるメーカー側のサーバへの診断情報の送信処理を説明するための図である。
【図１１】図１１は、第５の実施形態にかかる変電所監視制御システムの全体構成の一例を示す図である。
【図１２】図１２は、第５の実施形態にかかる変電所監視制御サーバの外観の一例を示す図である。
【図１３】図１３は、第５の実施形態にかかる診断装置における診断情報を取得する処理の流れを示すフローチャートである。
【発明を実施するための形態】
【０００８】
以下、添付の図面を用いて、本実施形態にかかる情報処理装置を適用した診断装置を有する変電所監視制御システムについて説明する。
【０００９】
（第１の実施形態）
図１は、第１の実施形態にかかる診断装置の使用形態の一例を説明するための図である。図１に示すように、本実施形態にかかる診断装置１０２（情報処理装置の一例）は、変電所に設置された変電所監視制御システムの現在の状態に関する内部詳細情報（第１情報の一例）および変電所監視制御システムの過去の状態に関するログデータである調査データ（第２情報の一例）等の診断情報Ｉを、変電所監視制御システム内の変電所監視制御サーバ１０１（サーバの一例）から取得する。本実施形態では、変電所監視制御システムの現在の状態とは、診断装置１０２に対して、診断情報Ｉの取得を指示する情報が入力された時点若しくは変電所監視制御システム内において異常が発生した時点等における、変電所監視制御システムの状態をいう。また、過去の状態とは、診断情報Ｉの取得を指示する情報が入力された時点若しくは変電所監視制御システム内において異常が発生した時点等よりも前の変電所監視制御システムの状態をいう。
【００１０】
そして、診断装置１０２は、取得した診断情報Ｉを表示部１０３へ表示させる。また、診断装置１０２は、取得した診断情報Ｉを記憶可能である。さらに、診断装置１０２は、取得した診断情報Ｉを、外部ネットワークＮＷを介して接続されたメーカー側のサーバ１０４（外部装置の一例）に対して送信可能である。なお、変電所監視制御サーバ１０１は、外部ネットワークＮＷに接続できず、メーカー側のサーバ１０４等の外部機器と通信できないものとする。
【００１１】
図２は、第１の実施形態にかかる変電所監視制御システムの全体構成の一例を示す図である。図２に示すように、本実施形態にかかる変電所監視制御システムは、変電所監視制御サーバ１０１、診断装置１０２、ＧＰＳ衛星から発信される信号に含まれる時刻を取得するＧＰＳ（Global  Positioning  System）クロック２０１、変電所監視制御システムを管理するオペレータによって操作されかつ各種情報を表示可能な表示部２０２ａを有するオペレータワークステーション２０２、診断情報Ｉを印刷可能なログプリンタ２０３、制御装置やリレー（例えば、ＩＥＤ（Intelligent  Electronics  Device）など）等の制御対象装置２０８〜２１３等を有する。
【００１２】
そして、変電所監視制御システムが有する各装置は、ＥＳＷ（Ether  Switch）等のネットワーク機器２０４〜２０６およびIEC618850規格のステーションバス等の通信メディア２０７を介して互いに接続されている。また、本実施形態では、変電所監視制御サーバ１０１は、当該変電所監視制御サーバ１０１を遠隔操作するリモートコントロールセンターと接続されている。
【００１３】
図３は、第１の実施形態にかかる変電所監視制御システムにおける異常に対応する処理の流れを示すシーケンス図である。図３に示すように、変電所監視制御システムが有する変電所監視制御サーバ１０１は、変電所監視制御システム内で発生した異常を検出する（ステップＳ３０１）。
【００１４】
その後、変電所監視制御システムを管理する現地オペレータが異常を確認して、変電所監視制御サーバ１０１に対して診断装置１０２を接続すると、診断装置１０２は、変電所監視制御サーバ１０１から、診断情報Ｉを取得（受信）する（ステップＳ３０２）。さらに、診断装置１０２は、取得した診断情報Ｉを表示部１０３に表示させ、かつ当該取得した診断情報Ｉを診断装置１０２内に保存する（ステップＳ３０３）。その後、診断装置１０２は、変電所監視制御サーバ１０１から取得した診断情報Ｉを、外部ネットワークＮＷを介して接続されたメーカー側のサーバ１０４に送信する（ステップＳ３０４）。
【００１５】
メーカー側のサーバ１０４は、診断装置１０２から送信された診断情報Ｉを受信し、受信した診断情報Ｉの解析を行う（ステップＳ３０５）。そして、メーカー側のサーバ１０４は、診断情報Ｉの解析結果と、変電所監視制御システム内で発生した異常に対する対策を示す対策情報とを診断装置１０２に送信する（ステップＳ３０６）。
【００１６】
診断装置１０２は、メーカー側のサーバ１０４から、診断情報Ｉの解析結果および対策情報を受信し、当該受信した解析結果および対策情報を表示部１０３に表示させる（ステップＳ３０７）。その後、診断装置１０２は、当該診断装置１０２のユーザによって対策情報が示す対策の実行を指示する指示情報が入力されると、メーカー側のサーバ１０４に対して、指示情報を送信する（ステップＳ３０８）。
【００１７】
次に、図４〜６を用いて、本実施形態にかかる変電所監視制御サーバ１０１および診断装置１０２の機能構成について説明する。図４は、第１の実施形態にかかる変電所監視制御システムにおける診断装置に対する診断情報を送信処理の一例を説明するための図である。図５は、第１の実施形態にかかる診断装置の概略構成の一例を示す図である。図６は、第１の実施形態にかかる変電所監視制御サーバおよび診断装置のハードウェア構成の一例を示す図である。
【００１８】
まず、変電所監視制御サーバ１０１の機能構成について説明する。図６に示すように、変電所監視制御サーバ１０１は、ＣＰＵ（Central  Processing  Unit）６０５、ＲＯＭ（Read  Only  Memory）６０６と、ＲＡＭ（Random  Access  Memory）６０７と、通信部６０８と、通信インタフェース６０９と、を有している。通信インタフェース６０９は、診断装置１０２を変電所監視制御サーバ１０１に接続するためのコネクタである。通信部６０８は、通信インタフェース６０９を介して診断装置１０２と接続され、当該診断装置１０２と通信可能な状態になった場合に、診断装置１０２と診断情報Ｉ等の各種情報を送受信する。
【００１９】
ＲＯＭ６０６は、診断装置１０２に対して診断情報Ｉを送信する処理等の各種プログラムを記憶する。ＲＡＭ６０７は、診断情報Ｉ等の各種情報を記憶する記憶部である。ＣＰＵ６０５は、変電所監視制御サーバ１０１全体を制御する制御部である。ＣＰＵ６０５は、ＲＡＭ６０７を作業領域として用いて、ＲＯＭ６０６に記憶された各種プログラムを読み出して実行することによって、変電所監視制御サーバ１０１を制御する。
【００２０】
図４に示すように、変電所監視制御サーバ１０１のＣＰＵ６０５は、変電所監視制御システム内で発生する異常（例えば、変電所監視制御システム内のイベントの停止、制御対象装置２０８〜２１３を制御できない制御不可、変電所監視制御システム内の各種装置の状態を検出できない機器状態監視不可など）を検出する。そして、ＣＰＵ６０５は、検出した異常に関する内部詳細情報や調査データ等の診断情報ＩをＲＡＭ６０７に保存する。その後、変電所を管理する現地オペレータが、通信インタフェース６０９に対して診断装置１０２を接続すると、ＣＰＵ６０５は、ＲＯＭ６０６に記憶されたプログラムを実行することによって、ＲＡＭ６０７に記憶された診断情報Ｉを診断装置１０２に送信する。
【００２１】
次に、診断装置１０２の機能構成について説明する。図５に示すように、診断装置１０２は、当該診断装置１０２を変電所監視制御サーバ１０１に接続する通信インタフェース１０５を有している。診断装置１０２は、通信インタフェース１０５が変電所監視制御サーバ１０１に接続されることによって、変電所監視制御サーバ１０１と有線によって通信可能な状態となる。本実施形態では、診断装置１０２は、変電所監視制御サーバ１０１と有線により通信するものとするが、変電所監視制御サーバ１０１と通信するものであれば、これに限定するものではなく、変電所監視制御サーバ１０１と無線により通信するようにしても良い。
【００２２】
また、図６に示すように、診断装置１０２は、ＣＰＵ６０１と、ＲＯＭ６０２と、ＲＡＭ６０３と、通信部６０４と、表示部１０３と、通信インタフェース１０５と、を有している。表示部１０３は、ＬＣＤ（Liquid  Crystal  Display）等で構成されかつ各種情報を表示可能な表示画面を有する。また、表示部１０３は、表示画面上に設けられかつ当該表示画面上に表示されたＧＵＩ（Graphic  User  Interface）に対するタッチ操作を検出するタッチパネルを有する。診断装置１０２のユーザは、表示部１０３が有する表示画面に表示されたＧＵＩに対してタッチ操作を行うことによって、診断装置１０２に対して各種情報を入力可能である。
【００２３】
通信インタフェース１０５は、診断装置１０２を変電所監視制御サーバ１０１に接続するためのコネクタである。通信部６０４は、通信インタフェース１０５が変電所監視制御サーバ１０１に接続され、当該変電所監視制御サーバ１０１と通信可能な状態となった場合に、変電所監視制御サーバ１０１と各種情報を送受信する。
【００２４】
ＲＯＭ６０２は、変電所監視制御サーバ１０１から診断情報Ｉを受信しかつ当該診断情報Ｉを診断装置１０２内に保存する処理等の各種プログラムを記憶する。また、ＲＯＭ６０２（第１記憶部の一例）は、診断装置１０２に対して診断情報Ｉを送信する処理を変電所監視制御サーバ１０１に実行させるコマンドを記憶する。ＲＡＭ６０３（第２記憶部の一例）は、ＣＰＵ６０１の作業領域として用いられ、変電所監視制御サーバ１０１から受信した診断情報Ｉ等を記憶する。ＣＰＵ６０１は、診断装置１０２全体を制御する制御部の一例である。ＣＰＵ６０１は、ＲＡＭ６０３を作業領域として用いて、ＲＯＭ６０２に記憶された各種プログラムを読み出して実行することによって、診断装置１０２を制御する。本実施形態では、診断装置１０２に対して診断情報Ｉを送信する処理を変電所監視制御サーバ１０１に実行させるコマンドと、診断情報Ｉとは、異なる記憶部に保存されているが、これに限定するものではなく、当該コマンドと、診断情報Ｉとが同一の記憶部に保存されていても良い。
【００２５】
次に、図７を用いて、診断装置１０２への診断情報Ｉの送信処理について説明する。図７は、第１の実施形態にかかる変電所監視制御システムにおける診断装置への診断情報の送信処理の流れを示すシーケンス図である。
【００２６】
診断装置１０２のＣＰＵ６０１は、通信インタフェース１０５が変電所監視制御サーバ１０１に接続されて当該変電所監視制御サーバ１０１と通信可能な状態になると、表示部１０３が有する表示画面に対して、変電所監視制御サーバ１０１から診断情報Ｉを受信しかつ当該診断情報Ｉを診断装置１０２内に保存する処理の実行を指示するためのＧＵＩである「診断メニュー」を表示させる。ＣＰＵ６０１は、表示部１０３が有するタッチパネルによって「診断メニュー」がタッチ操作されたことを検出すると（すなわち、診断情報Ｉの取得を指示する情報が入力された場合）、ＲＯＭ６０２に記憶されたコマンドのうち、診断装置１０２に対して内部詳細情報を送信する処理のコマンドを読み出す。そして、ＣＰＵ６０１（通信部の一例）は、通信部６０４を制御して、読み出したコマンドを含む診断情報要求を変電所監視制御サーバ１０１に送信する（ステップＳ７０１）。
【００２７】
これにより、診断装置１０２のユーザが、変電所監視制御サーバ１０１に対してコマンドを入力することなく、診断装置１０２を変電所監視制御サーバ１０１に接続するだけで、診断装置１０２への診断情報Ｉの送信が行われるので、変電所の現地オペレータにかかる負担を軽減することができ、診断情報Ｉの診断装置１０２への転送に要する時間が短縮されかつ変電所監視制御システムにおける問題解決までの期間を短縮することができる。
【００２８】
ここで、診断装置１０２のＣＰＵ６０１によって送信されるコマンドは、変電所監視制御サーバ１０１において実行される、診断装置１０２に対する診断情報Ｉの送信処理に用いられるコマンドである。具体的には、コマンドには、変電所監視制御サーバ１０１のログインに用いる情報（例えば、ユーザＩＤやパスワードなど）、送信対象の診断情報Ｉを識別可能とする情報（例えば、送信対象の診断情報Ｉが記憶されるフォルダ等）、診断情報Ｉの収集を指示するコマンド、変電所監視制御サーバ１０１に記憶された診断情報Ｉの複製（コピー）を診断装置１０２に送信することを指示するコマンド、診断装置１０２に送信する診断情報Ｉの圧縮を指示するコマンドなどである。
【００２９】
本実施形態では、ＣＰＵ６０１は、診断情報Ｉの取得を指示する情報が入力された場合に、診断情報要求を変電所監視制御サーバ１０１に送信しているが、これに限定するものではなく、例えば、変電所監視制御システム内において異常が発生した場合に、診断情報要求を変電所監視制御サーバ１０１に自動的に送信するようにしても良い。
【００３０】
変電所監視制御サーバ１０１のＣＰＵ６０５は、通信部６０８を制御して、診断装置１０２から送信された診断情報要求を受信する（ステップＳ７０２）。続いて、ＣＰＵ６０５は、受信した診断情報要求が含むコマンドに従って、ＲＯＭ６０６に記憶されたプログラムを起動させて、変電所監視制御システムの現在の状態に関する内部詳細情報を取得すする処理を実行する（ステップＳ７０３）。さらに、ＣＰＵ６０５は、診断情報要求が含むコマンドに従って、取得した内部詳細情報を、診断装置１０２に送信可能なデータ形式に変換する整形処理を実行する（ステップＳ７０４）。本実施形態では、ＣＰＵ６０５は、取得した内部詳細情報に対して、診断装置１０２に送信可能なデータ形式に変換する整形処理を行っているが、当該取得した内部詳細情報が、既に、診断装置１０２に送信可能なデータ形式となっている場合には、当該整形処理を実行しなくて良い。その後、ＣＰＵ６０５は、診断情報要求が含むコマンドに従って、通信部６０８を制御して、整形処理を実行した内部詳細情報を診断情報Ｉとして診断装置１０２に送信する（ステップＳ７０５）。
【００３１】
診断装置１０２のＣＰＵ６０１は、通信部６０４を制御して、変電所監視制御サーバ１０１から送信された診断情報Ｉを受信する（ステップＳ７０６）。さらに、ＣＰＵ６０１は、受信した診断情報Ｉを図示しない内部バッファに保存する（ステップＳ７０７）。次いで、ＣＰＵ６０１は、内部バッファに保存した診断情報Ｉを、表示部１０３に表示可能なデータ形式に変換する整形処理を実行し（ステップＳ７０８）、当該整形処理を実行した診断情報Ｉを表示部１０３が有する表示画面に表示させる（ステップＳ７０９）。本実施形態では、ＣＰＵ６０１は、変電所監視制御サーバ１０１から受信した診断情報Ｉに対して、表示部１０３に表示可能なデータ形式に変換する整形処理を行っているが、当該受信した診断情報Ｉが、既に、表示部１０３に表示可能なデータ形式となっている場合には、当該整形処理を行わなくて良い。
【００３２】
ここで、表示部１０３が有する表示画面に診断情報Ｉとして表示される内部詳細情報は、例えば、変電所監視制御システムにおいて実行されるアプリケーションの状態（例えば、停止または起動など）、変電所監視制御システムにおける各種情報の入出力の状態であるＤＩ／ＤＯ状態、変電所監視制御サーバ１０１が有する内部ストレージの状態（例えば、内部ストレージの空きの有無など）、変電所監視制御システムにおいて発生した故障の有無、変電所監視制御システムが有するハードウェアの状態、変電所監視制御システムが有する各種インタフェースの状態、変電所監視制御サーバ１０１が有するＣＰＵ６０５にかかる負荷、変電所監視制御サーバ１０１が有するメモリ（例えば、ＲＡＭ６０７など）の空き容量、診断装置１０２に対する診断情報Ｉの送信処理の結果である診断結果などである。
【００３３】
その後、診断装置１０２のＣＰＵ６０１は、図示しない内部バッファに保存された診断情報ＩをＲＡＭ６０３等の記憶部（内部ストレージ）に保存するか否かを判断する（ステップＳ７１０）。本実施形態では、ＣＰＵ６０１は、表示部１０３が有する表示画面に対して、診断情報Ｉの保存を指示するためのＧＵＩである「保存メニュー」を表示させる。そして、ＣＰＵ６０１は、表示部１０３が有するタッチパネルによって「保存メニュー」がタッチ操作されたことを検出すると、診断情報ＩをＲＡＭ６０３に保存すると判断し（ステップＳ７１０：Ｙｅｓ）、診断情報ＩをＲＡＭ６０３に保存する（ステップＳ７１１）。その後、診断装置１０２のオペレータが表示部１０３が有するタッチパネルに対してタッチ操作を行って、メーカー側のサーバ１０４への診断情報Ｉの送信が指示されると、ＣＰＵ６０１は、外部ネットワークＮＷを介して、ＲＡＭ６０３に保存された診断情報Ｉをメーカー側のサーバ１０４に送信する。一方、ＣＰＵ６０１は、表示部１０３が有するタッチパネルによって「保存メニュー」がタッチ操作されたことが検出されなかった場合、診断情報ＩをＲＡＭ６０３に保存しないと判断し（ステップＳ７１０：Ｎｏ）、ＲＡＭ６０３に対する診断情報Ｉの保存を行わずに、処理を終了する。
【００３４】
このように、第１の実施形態の変電所監視制御システムによれば、診断情報Ｉを診断装置１０２に保存する際に、変電所の現地オペレータにかかる負担を軽減することができ、診断情報Ｉの診断装置１０２への転送に要する時間が短縮されかつ変電所監視制御システムにおける問題解決までの期間を短縮することができる。
【００３５】
（第２の実施形態）
本実施形態は、調査データを診断装置に送信させる処理を変電所監視制御サーバに実行させるコマンドを、変電所監視制御サーバに送信する例である。以下の説明では、第１の実施形態と同様の箇所については説明を省略する。
【００３６】
図８は、第２の実施形態にかかる変電所監視制御システムにおける診断装置への調査データの送信処理の流れを示すシーケンス図である。本実施形態では、診断装置１０２のＣＰＵ６０１は、通信インタフェース１０５が変電所監視制御サーバ１０１に接続されて当該変電所監視制御サーバ１０１と通信可能な状態になると、表示部１０３が有する表示画面に対して、変電所監視制御サーバ１０１から調査データを受信しかつ当該調査データを診断装置１０２内に保存する処理の実行を指示するためのＧＵＩである「調査データ収集メニュー」を表示させる。ＣＰＵ６０１は、表示部１０３が有するタッチパネルによって「調査データ収集メニュー」がタッチ操作されたことを検出すると（すなわち、調査データの収集（取得）を指示する情報が入力された場合）、ＲＯＭ６０２に記憶されたコマンドのうち、診断装置１０２に対して調査データを送信する処理のコマンドを読み出す。そして、ＣＰＵ６０１は、通信部６０４を制御して、読み出したコマンドを含む調査データ要求を変電所監視制御サーバ１０１に送信する（ステップＳ８０１）。
【００３７】
これにより、診断装置１０２のユーザが、変電所監視制御サーバ１０１に対してコマンドを入力することなく、診断装置１０２を変電所監視制御サーバ１０１に接続するだけで、診断装置１０２への調査データの送信が行われるので、変電所の現地オペレータにかかる負担を軽減することができ、調査データの診断装置１０２への転送に要する時間が短縮されかつ変電所監視制御システムにおける問題解決までの時間を短縮することができる。
【００３８】
変電所監視制御サーバ１０１のＣＰＵ６０５は、通信部６０８を制御して、診断装置１０２から送信された調査データ要求を受信する（ステップＳ８０２）。続いて、ＣＰＵ６０５は、受信した調査データ要求が含むコマンドに従って、ＲＯＭ６０６に記憶されたプログラムを起動させて、変電所監視制御システムの過去の状態に関する調査データを取得する処理を実行する（ステップＳ８０３）。具体的には、ＣＰＵ６０５は、調査データ要求の受信時から所定時間前までの変電所監視制御システムの状態に関する調査データを取得する。また、ＣＰＵ６０５は、変電所監視制御システム内において異常が発生している場合には、変電所監視制御システム内における異常発生時から所定時間前までの変電所監視制御システムの状態に関する調査データを取得する。
【００３９】
ここで、調査データは、例えば、変電所監視制御システム内において実行されたアプリケーションを示すアプリログファイル、変電所監視制御システム内における通信に関する通信ログファイル、変電所監視制御システム内において発生したイベントに関する情報であるイベント記録データ、変電所監視制御システム内で送受信されたデータであるオンラインデータ、変電所監視制御システム内のハードウェアにおいて実行された処理に関する情報であるハードログファイル、変電所監視制御サーバ１０１のＣＰＵ６０５の負荷に関するＣＰＵ負荷情報、変電所監視制御サーバ１０１のＲＡＭ６０７の空き容量に関する空きメモリ情報などである。
【００４０】
次いで、ＣＰＵ６０５は、受信した調査データ要求が含むコマンドに従って、取得した調査データに対して、診断装置１０２に送信可能なデータ形式に変換する整形処理を実行する（ステップＳ８０４）。さらに、ＣＰＵ６０５は、受信した調査データ要求が含むコマンドに従って、当該整形処理を実行した調査データに対して、診断装置１０２に送信可能なデータ量に変換する圧縮処理を実行する（ステップＳ８０４）。その後、ＣＰＵ６０５は、受信した調査データ要求が含むコマンドに従って、通信部６０８を制御して、圧縮処理を実行した調査データを診断装置１０２に送信する（ステップＳ８０５）。
【００４１】
本実施形態では、ＣＰＵ６０５は、取得した調査データに対して、診断装置１０２に送信可能なデータ形式に変換する整形処理を行っているが、当該取得した調査データが、既に、診断装置１０２に送信可能なデータ形式となっている場合には、当該取得した調査データに対して、当該整形処理を行わなくて良い。本実施形態では、ＣＰＵ６０５は、取得した調査データに対して圧縮処理を実行しているが、取得した調査データのデータ容量が、診断装置１０２に送信可能なデータ容量以下である場合には、取得した調査データに対して圧縮処理を実行せずに、診断装置１０２に送信しても良い。
【００４２】
診断装置１０２のＣＰＵ６０１は、通信部６０４を制御して、変電所監視制御サーバ１０１から送信された調査データを受信する（ステップＳ８０６）。そして、ＣＰＵ６０１は、受信した調査データをＲＡＭ６０３等の記憶部に保存する（ステップＳ８０７）。さらに、ＣＰＵ６０１は、調査データの取得が完了したことを示す情報を、表示部１０３が有する表示画面に対して表示させる（ステップＳ８０８）。
【００４３】
その後、診断装置１０２のオペレータが、表示部１０３が有するタッチパネルに対してタッチ操作を行って、メーカー側のサーバ１０４への調査データの送信が指示されると、ＣＰＵ６０１は、外部ネットワークＮＷを介して、ＲＡＭ６０３に保存された調査データをメーカー側のサーバ１０４に送信する。
【００４４】
このように、第２の実施形態の変電所監視制御システムによれば、調査データを診断装置１０２に保存する際に、変電所の現地オペレータにかかる負担を軽減することができ、調査データの診断装置１０２への転送に要する時間が短縮されかつ変電所監視制御システムにおける問題解決までの期間を短縮することができる。
【００４５】
（第３の実施形態）
本実施形態は、内部詳細情報の取得の終了を指示する情報が入力されるまで、内部詳細情報の送信を継続させるコマンドを送信する例である。以下の説明では、上記の実施形態と同様の箇所については説明を省略する。
【００４６】
図９は、第３の実施形態にかかる変電所監視制御システムにおける診断装置への内部詳細情報の送信処理の流れを示すシーケンス図である。本実施形態では、診断装置１０２のＣＰＵ６０１は、通信インタフェース１０５が変電所監視制御サーバ１０１に接続されて当該変電所監視制御サーバ１０１と通信可能な状態になると、表示部１０３が有する表示画面に対して、内部詳細情報の受信を継続するログモード処理の実行を指示するためのＧＵＩである「ログモード開始メニュー」を表示させる。ＣＰＵ６０１は、表示部１０３が有するタッチパネルによって「ログモード開始メニュー」がタッチ操作されたことが検出されると（すなわち、内部詳細情報の取得を指示する情報が入力された場合）、ＲＯＭ６０２に記憶されたコマンドのうち、内部詳細情報を送信させる処理のコマンドを読み出す。そして、ＣＰＵ６０１は、通信部６０４を制御して、読み出したコマンドを含む内部詳細情報要求を送信する（ステップＳ９０１）。
【００４７】
これにより、診断装置１０２のユーザが、変電所監視制御サーバ１０１に対してコマンドを入力することなく、診断装置１０２を変電所監視制御サーバ１０１に接続するだけで、診断装置１０２への内部詳細情報が送信されるので、変電所の現地オペレータにかかる負担を軽減することができ、内部詳細情報の診断装置１０２への転送に要する時間が短縮されかつ変電所監視制御システムにおける問題解決までの期間を短縮することができる。
【００４８】
変電所監視制御サーバ１０１のＣＰＵ６０５は、通信部６０８を制御して、診断装置１０２から送信された内部詳細情報要求を受信する（ステップＳ９０２）。続いて、ＣＰＵ６０５は、受信した内部詳細情報要求が含むコマンドに従って、ＲＯＭ６０６に記憶されたプログラムを起動させて、変電所監視制御サーバ１０１の内部詳細情報を取得する処理を実行する（ステップＳ９０３）。次いで、ＣＰＵ６０５は、内部詳細情報要求が含むコマンドに従って、取得した内部詳細情報に対して、診断装置１０２に送信可能なデータ形式に変換する整形処理を実行する（ステップＳ９０４）。その後、ＣＰＵ６０５は、内部詳細情報要求が含むコマンドに従って、通信部６０８を制御して、整形処理を実行した内部詳細情報を診断装置１０２に送信する（ステップＳ９０５）。本実施形態では、ＣＰＵ６０５は、取得した内部詳細情報に対して、診断装置１０２に送信可能なデータ形式に変換する整形処理を行っているが、当該取得した内部詳細情報が、既に、診断装置１０２に送信可能なデータ形式となっている場合には、当該取得した内部詳細情報に対して、当該整形処理を行わなくて良い。
【００４９】
診断装置１０２のＣＰＵ６０１は、通信部６０４を制御して、変電所監視制御サーバ１０１から送信された内部詳細情報を受信する（ステップＳ９０６）。次に、ＣＰＵ６０１は、受信した内部詳細情報を、診断装置１０２が有する図示しない内部バッファに保存する（ステップＳ９０７）。次いで、ＣＰＵ６０１は、図示しない内部バッファに保存された内部詳細情報を、診断装置１０２が有するＲＡＭ６０３等の記憶部（内部ストレージ）に保存可能なデータ形式に変換する整形処理を実行する（ステップＳ９０８）。そして、ＣＰＵ６０１は、当該整形処理を実行した内部詳細情報を、ＲＡＭ６０３等の記憶部に保存する（ステップＳ９０９）。本実施形態では、ＣＰＵ６０１は、受信した内部詳細情報に対して、記憶部に保存可能なデータ形式に変換する整形処理を実行しているが、当該受信した内部詳細情報が、既に、記憶部に保存可能なデータ形式となっている場合には、当該受信した内部詳細情報に対して、当該整形処理を行わなくて良い。
【００５０】
その後、ＣＰＵ６０１は、表示部１０３が有するタッチパネルによって内部詳細情報の取得の停止を指示するログモード停止指示が入力されたか否かを判断する（ステップＳ９１０）。ログモード停止指示が入力されていないと判断した場合（ステップＳ９１０：Ｎｏ）、ＣＰＵ６０１は、ステップＳ９０１に戻り、再び、通信部６０４を制御して、内部詳細情報要求を変電所監視制御サーバ１０１に送信する。本実施形態では、ＣＰＵ６０１は、ログモード停止指示が入力されるまで、内部詳細情報要求の送信を繰り返すことによって、変電所監視制御サーバ１０１に対して内部詳細情報の送信を継続させるコマンドを送信するものとしているが、これに限定するものではない。例えば、ＣＰＵ６０１は、ログモード停止指示が入力されるまで、内部詳細情報の送信を所定時間毎に送信させるコマンドを送信することによって、変電所監視制御サーバ１０１に対して内部詳細情報の送信を継続させるコマンドを送信するものとしても良い。一方、ログモード停止指示が入力されたと判断した場合（ステップＳ９１０：Ｙｅｓ）、ＣＰＵ６０１は、内部詳細情報のＲＡＭ６０３への記録処理を終了する。
【００５１】
このように、第３の実施形態の変電所監視制御システムによれば、診断装置１０２に対して内部詳細情報を繰り返し送信する際に、変電所の現地オペレータにかかる負担を軽減することができ、内部詳細情報の診断装置１０２への転送に要する時間が短縮されかつ変電所監視制御システムにおける問題解決までの期間を短縮することができる。
【００５２】
（第４の実施形態）
本実施形態は、無線ＬＡＮ（Local  Area  Network）を利用して、外部ネットワークに接続して、診断装置が有する記憶部に記憶された診断情報を、メーカー側のサーバに送信する例である。以下の説明では、上述の実施形態と異なる箇所について説明する。
【００５３】
図１０は、第４の実施形態にかかる診断装置によるメーカー側のサーバへの診断情報の送信処理を説明するための図である。変電所監視制御システム内の変電所監視制御サーバ１０１等の各種装置は、インターネット等の外部ネットワークＮＷと通信することができない。そのため、変電所監視制御システム内の変電所監視制御サーバ１０１等が、外部ネットワークＮＷを介して、診断情報Ｉ（内部詳細情報や調査データ等）をメーカー側のサーバ１０４に送信することはできない。
【００５４】
そこで、本実施形態では、診断装置１０２のＣＰＵ６０１が、図１０に示すように、通信部６０４を制御して、無線ＬＡＮ１００１内のアクセスポイント１００２を介して、外部ネットワークＮＷに接続する。そして、ＣＰＵ６０１は、外部ネットワークＮＷに接続されたメーカー側のサーバ１０４に対して、診断装置１０２が有するＲＡＭ６０３に記憶された診断情報Ｉを送信する。
【００５５】
このように、第４の実施形態の変電所監視制御システムによれば、変電所監視制御サーバ１０１を外部ネットワークＮＷに接続することができない場合であっても、診断装置１０２によって診断情報Ｉをメーカー側のサーバ１０４に送信することができる。
【００５６】
（第５の実施形態）
本実施形態は、変電所監視制御システムが有する変電所監視制御サーバに、診断装置を実装する例である。以下の説明では、上述の実施形態と異なる箇所について説明する。
【００５７】
図１１は、第５の実施形態にかかる変電所監視制御システムの全体構成の一例を示す図である。図１２は、第５の実施形態にかかる変電所監視制御サーバの外観の一例を示す図である。本実施形態では、図１１に示すように、変電所監視制御サーバ１１００には、拡張基板等により構成される診断装置１１０１が組み込まれている。具体的には、変電所監視制御サーバ１１００に組み込まれた診断装置１１０１は、図１２に示すように、診断情報Ｉ等の各種情報を表示可能なＬＣＤ等の表示画面を有する表示部１１０２と、当該診断装置１１０１に外部ストレージを接続するための接続インタフェース１１０３と、有する。
【００５８】
次に、図１３を用いて、本実施形態にかかる診断装置１１０１における診断情報を取得する処理について説明する。図１３は、第５の実施形態にかかる診断装置における診断情報を取得する処理の流れを示すフローチャートである。
【００５９】
本実施形態では、診断装置１１０１のＣＰＵ６０１は、変電所監視制御サーバ１１００の起動中において、変電所監視制御システム内で異常が発生した場合、ＲＯＭ６０２に記憶されたコマンドを読み出す。そして、ＣＰＵ６０１は、読み出したコマンドを含む診断情報要求を、変電所監視制御サーバ１１００が有するＣＰＵ６０５に送信する。その後、ＣＰＵ６０１は、変電所監視制御サーバ１１００のＣＰＵ６０５から送信された内部詳細情報を受信する（ステップＳ１３０１）。
【００６０】
次に、ＣＰＵ６０１は、受信した内部詳細情報に対して、ＲＡＭ６０３等の記憶部（内部ストレージ）に保存可能なデータ形式に変換する整形処理を実行する（ステップＳ１３０２）。そして、ＣＰＵ６０１は、整形処理を実行した内部詳細情報をＲＡＭ６０３等の記憶部に保存し（ステップＳ１３０３）、かつ当該整形処理を実行した内部詳細情報を表示部１１０２が有する表示画面に表示させる（ステップＳ１３０４）。そして、ＣＰＵ６０１は、診断装置１１０１が有する接続インタフェース１１０３に外部ストレージが接続された場合、ＲＡＭ６０３に記憶された内部詳細情報を、当該外部ストレージに保存する。
【００６１】
このように、第５の実施形態の変電所監視制御システムによれば、診断装置１１０１を変電所監視制御サーバ１１００に実装した場合も、上述の実施形態と同様の作用効果を得ることができる。
【００６２】
以上説明したとおり、第１から第５の実施形態によれば、診断情報Ｉを診断装置１０２に保存する際に、変電所の現地オペレータにかかる負担を軽減することができ、診断情報Ｉの診断装置１０２への転送に要する時間が短縮されかつ変電所監視制御システムにおける問題解決までの期間を短縮することができる。
【００６３】
なお、本実施形態の診断装置１０２，１１０１で実行されるプログラムは、ＲＯＭ等に予め組み込まれて提供されるが、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６４】
さらに、本実施形態の診断装置１０２，１１０１で実行されるプログラムを、インターネット等のネットワークに接続されたコンピュータ上に格納し、ネットワーク経由でダウンロードさせることにより提供するように構成しても良い。また、本実施形態の診断装置１０２，１１０１で実行される〜プログラムをインターネット等のネットワーク経由で提供または配布するように構成しても良い。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１０１，１１００  変電所監視制御サーバ
１０２，１１０１  診断装置
１０３，１１０２  表示部
１０４  メーカー側のサーバ
１０５，６０９  通信インタフェース
６０１，６０５  ＣＰＵ
６０２，６０６  ＲＯＭ
６０３，６０７  ＲＡＭ
６０４，６０８  通信部
１００２  アクセスポイント
１１０３  接続インタフェース
ＮＷ  外部ネットワーク
【図１】
2016116291.tif 000003
【図２】
2016116291.tif 000004
【図３】
2016116291.tif 000005
【図４】
2016116291.tif 000006
【図５】
2016116291.tif 000007
【図６】
2016116291.tif 000008
【図７】
2016116291.tif 000009
【図８】
2016116291.tif 000010
【図９】
2016116291.tif 000011
【図１０】
2016116291.tif 000012
【図１１】
2016116291.tif 000013
【図１２】
2016116291.tif 000014
【図１３】
2016116291.tif 000015